(57)【要約】      （修正有）【課題】サブバッグを備えたキャディバッグにおいて、サブバッグの不用意な脱落を防止するキャディバッグを提供する。【解決手段】ゴルフクラブが収納されるメインバッグ２と、メインバッグの側部に着脱可能に装着され、ゴルフクラブの数本を収納可能なサブバック３とを備えたキャディバッグ１であって、サブバッグには、サブバッグの側面に沿った収納位置と、サブバッグに対し所定角度で引き出された使用位置との２位置間で揺動可能なスタンド４が設けられ、メインバッグには、上方へ開口され、開口５ａからサブバッグが抜き差しされるサブバッグ収納部５が設けられ、サブバッグ収納部にサブバッグを収納した状態において、スタンドが、メインバッグの側面よりも外側に位置するように構成されている。【選択図】図１
0003211292.tif 000002
【実用新案登録請求の範囲】
【請求項１】
ゴルフクラブが収納されるメインバッグと、このメインバッグの側部に着脱可能に装着され、前記ゴルフクラブの数本を収納可能なサブバックとを備えたキャディバッグであって、前記サブバッグには、このサブバッグの側面に沿った収納位置と、このサブバッグに対し所定角度で引き出された使用位置との２位置間で揺動可能となされたスタンドが設けられ、前記メインバッグには、上方へ開口され、この開口から前記サブバッグが抜き差しされるサブバッグ収納部が設けられ、このサブバッグ収納部に前記サブバッグを収納した状態において、前記スタンドが、前記メインバッグの側面よりも外側に位置させられるようになされていることを特徴とするキャディバッグ。
【請求項２】
前記サブバッグ収納部が、前記メインバッグの側部にその長さ方向に沿って形成された収納凹部と、この収納凹部の両側縁からこの収納凹部の内側へ向けて延設された鍔部とによって構成され、これらの鍔部間に所定の隙間が形成されていることを特徴とする請求項１に記載のキャディバッグ。
【請求項３】
前記サブバッグには、前記スタンドとの間に、前記スタンドを使用位置に揺動させる押し出し機構が設けられており、この押し出し機構が、前記サブバッグを前記サブバッグ収納部に収納した際に、前記鍔部間の隙間を介して外部へ突出するようになされていることを特徴とする請求項１に記載のキャディバッグ。
【請求項４】
前記サブバッグの上部には持ち運び用の取っ手が設けられ、この取っ手が逆Ｕ字状に形成されており、前記サブバッグを前記サブバッグ収納部に収納した際に、前記メインバッグの上部に設けられている仕切りへ係合させられるように構成されていることを特徴とする請求項１ないし請求項３の何れかに記載のキャディバッグ。
【請求項５】
前記メインバッグの上部側面には、前記サブバッグ収納部に収納された前記サブバッグをその上部において保持する固定バンドが設けられていることを特徴とする請求項１ないし請求項４の何れかに記載のキャディバッグ。
【考案の詳細な説明】
【技術分野】
【０００１】
本考案はキャディバッグに係わり、特に、前記キャディバッグに収納されているゴルフクラブの数本を小分けして持ち運ぶことを可能にしたキャディバッグに関するものである。
【背景技術】
【０００２】
一般なゴルフプレーヤーは、使用するクラブの全てをキャディバッグに収納するとともに、このキャディバッグをカートに積み込み、プレー時に、必要なクラブをその都度キャディバッグから抜き取って使用している。
【０００３】
一方、特に、２打目以降で必要な飛距離が不確かな場合、あるいは、ボールのライが不確かな場合等には、複数のクラブをキャディバッグから抜き取り、この複数のクラブを持ってプレー地点とカート間を往復することが多々ある。
【０００４】
この場合、プレーを終えてカートに戻る際に、プレー地点へ携行した複数のクラブの内、使用したクラブのみ持ち帰り、使用していないクラブをプレー地点に置き忘れてしまうことがある。
【０００５】
このようなクラブの置き忘れを防止するために、たとえば、特許文献１に示されるように、キャディバッグの側面に凹部を形成し、この凹部内に、クラブを小分けするサブバッグを着脱可能に収納するようにしたキャディバッグが提案されている。
【０００６】
前記サブバッグは、その下端部においてキャディバッグに係合させ、その上端部を前記キャディバッグの側面に設けた固定バンドで拘束することによって、前記キャディバッグに着脱可能に装着された構成となっている。
【０００７】
そして、プレー時に、前記サブバッグをキャディバッグから取り外しておき、このサブバッグに数本のクラブを入れてプレー地点へ持ち運ぶようにしている。
【０００８】
このようなサブバッグを用いると、使用したクラブをプレー後にサブバッグに戻す動作が必要となることから、プレー地点へ持ち込んだ全てのクラブが揃った状態でカートに戻ることになり、クラブの置き忘れが防止できる。
【先行技術文献】
【特許文献】
【０００９】
【特許文献１】特開２０１６−１４７０７８号公報
【考案の概要】
【考案が解決しようとする課題】
【００１０】
ところで、前述した従来の技術においては、サブバッグとキャディバッグとの固定を、サブバッグの下端部をキャディバッグに係合させ、かつ、サブバッグの上端部を前記キャディバッグの側面に設けた固定バンドで拘束する構成としている。
【００１１】
このような固定構造であると、サブバッグの固定が不安定で有り、このサブバッグを装着した状態でキャディバッグを持ち運ぶ場合、前記固定バンドが何かに接触して外れてしまい、これによって、前記サブバッグがキャディバッグから離脱してしまう。
【００１２】
本考案は、前述した従来の技術において残されている問題点を解決せんとしてなされたもので、サブバッグを備えたキャディバッグにおいて、サブバッグの不用意な脱落を防止することを解決すべき課題とする。
【課題を解決するための手段】
【００１３】
本考案のキャディバッグは、前述した課題を解決するために、ゴルフクラブが収納されるメインバッグと、このバッグ本体の側部に着脱可能に装着され、前記ゴルフクラブの数本を収納可能なサブバックとを備えたキャディバッグであって、前記サブバッグには、このサブバッグの側面に沿った収納位置と、このサブバッグに対し所定角度で引き出された使用位置との２位置間で揺動可能となされたスタンドが設けられ、前記メインバッグには、上方へ開口され、この開口から前記サブバッグが抜き差しされるサブバッグ収納部が設けられ、このサブバッグ収納部に前記サブバッグを収納した状態において、前記スタンドが、前記メインバッグの側面よりも外側に位置させられるようになされていることを特徴としている。
【００１４】
このような構成とすることにより、前記サブバッグを前記メインバッグに装着してキャディバッグが構成される。
【００１５】
前記サブバッグを前記メインバッグに装着するには、前記サブバッグを、前記メインバッグに設けられた前記サブバッグ収納部にその上方の開口から挿入する。
【００１６】
このように前記サブバッグを前記サブバッグ収納部に挿入した状態で、前記サブバッグの外面に、前記サブバッグ収納部の内面が接触させられ、この面接触によって前記サブバッグが保持される。
【００１７】
これによって前記サブバッグの保持力が十分に確保されて安定した保持状態が得られる。
【００１８】
そして、前記サブバッグを前記メインバッグから取り外すには、前記サブバッグを、前記メインバッグの上方へ移動させて前記サブバッグ収納部の上部開口から引き抜く。
【００１９】
したがって、前記サブバッグの取り外しには、前記サブバッグ収納部との重畳部分がなくなるまで、前記メインバッグに対して相対移動させなければならず、持ち運びの際の小さな相対移動では、前記サブバッグが前記サブバッグ収納部から離脱するようなことはない。
【００２０】
この結果、前記サブバッグが、前記メインバッグから不用意に脱落してしまうようなことはない。
【００２１】
一方、前記サブバッグを前記メインバッグに装着した状態において、前記サブバッグに設けられた前記スタンドが、前記メインバッグの側面よりも外方に位置させられていることにより、このスタンドを揺動させて引き出すことにより、このスタンドによってキャディバッグを、傾斜して安定した姿勢で自立させることができる。
【００２２】
したがって、たとえば、練習場等における前記キャディバッグからのクラブを抜き差しする際に、このキャディバッグの倒れを防止することができる。
【００２３】
そして、たとえば、ゴルフのプレー時等において、クラブを前記サブバッグに小分けして持ち運ぶ際には、このサブバッグを前記メインバッグから取り外す。
【００２４】
このような前記サブバッグの取り外しは、前述したように、前記サブバッグを前記サブバッグ収納部から引き抜くことによって容易に行なうことができる。
【００２５】
そして、小分けされたクラブを使用する際に、前記サブバッグを、このサブバッグに設けられている前記スタンドを用いて傾斜した姿勢で自立させることができる。
【００２６】
これによって、たとえば、ゴルフのプレイ中に用いる際に、小分けされたクラブの選択を容易にし、また、これらのクラブを立てた状態とすることにより、これらのクラブの置き忘れを防止することができる。
【００２７】
前記サブバッグ収納部は、前記メインバッグの側部にその長さ方向に沿って収納凹部を形成し、この収納凹部の両側縁からこの収納凹部の内側へ向けて鍔部を延設し、これらの鍔部間に所定の隙間を形成することによって構成することが好ましい。
【００２８】
このような構成とすることにより、前記メインバッグ収納部に挿入される前記サブバッグは、前記鍔部によって保持される。
【００２９】
ここで、前記鍔部の前記サブバッグ収納部の長さ方向の寸法を調整してこの鍔部と前記サブバッグとの接触面積を調整し、これによって、前記サブバッグの保持力や、抜き差し時の摩擦抵抗を調整することができる。
【００３０】
また、前記サブバッグに、前記スタンドとの間に、前記スタンドを使用位置に揺動させる押し出し機構を設けておき、この押し出し機構を、前記サブバッグを前記サブバッグ収納部に収納した際に、前記鍔部間の隙間を介して外部へ突出させるようにすることができる。
【００３１】
このような構成とすることにより、前記サブバッグを単独で使用する際に、前記スタンドを前記押し出し機構によって使用位置に揺動させて、このサブバグを傾斜姿勢で自立させることができ、その自立操作を容易にすることができる。
【００３２】
また、前記押し出し機構を前記鍔部間の隙間に位置させることにより、前記サブバッグを前記メインバッグに装着する際に、このメインバッグと前記押し出し機構との干渉を回避することができる。
【００３３】
そして、前記サブバッグを前記メインバッグに装着した状態で、前記押し出し機構を用いた前記スタンドの揺動を可能にして、前記キャディバッグとしての使用時において、このキャディバッグを傾斜した姿勢で自立させる際の操作を容易にすることができる。
【００３４】
また、前記サブバッグの上部に、持ち運び用の逆Ｕ字状に形成された取っ手を設け、前記サブバッグを前記サブバッグ収納部に収納した際に、前記取っ手を、前記メインバッグの上部に設けられている仕切りへ係合させる構成とすることができる。
【００３５】
このような構成とすることにより、前記サブバッグを単独で用いる際の持ち運びを容易にすることができる。
【００３６】
また、収納時における前記サブバッグの上部と前記メインバッグとを係合させることにより、前記サブバッグの、収納時における不要な動きを抑制することができる。
【００３７】
さらに、前記メインバッグの上部側面に、前記サブバッグ収納部に収納された前記サブバッグをその上部において保持する固定バンドを設けることもできる。
【００３８】
前記固定バンドによって、収納された前記サブバッグの上部を固定することにより、このサブバッグの不用意な動きさらに抑制することができる。
【考案の効果】
【００３９】
本考案のキャディバッグによれば、サブバッグを備えたキャディバッグにおいて、サブバッグの不用意な脱落を防止することができる。
【図面の簡単な説明】
【００４０】
【図１】本考案の一実施形態を示す正面図である。
【図２】本考案の一実施形態を示す側面図である。
【図３】本考案の一実施形態を示すもので、メインバッグおよびサブバッグの上端部の概略平面図である。
【図４】本考案の一実施形態を示すもので、メインバッグおよびサブバッグの上端部の概略平面図である。
【図５】本考案の一実施形態を示すもので、キャディバッグを自立させた状態を示す側面図である。
【図６】本考案の一実施形態を示すもので、メインバッグの正面図である。
【図７】本考案の一実施形態を示すもので、メインバッグの側面図である。
【図８】本考案の一実施形態を示すもので、サブバッグの正面図である。
【図９】本考案の一実施形態を示すもので、サブバッグの側面図である。
【図１０】本考案の一実施形態を示すもので、サブバッグを自立させた状態を示す側面図である。
【図１１】本考案の他の実施形態を示すもので、メインバッグの上半部を示す正面図である。
【図１２】本考案の他の実施形態を示すもので、メインバッグ及びサブバックの上半部を示す正面図である。
【考案を実施するための形態】
【００４１】
以下、本考案の一実施形態を図面を参照して説明する。
図１において、符号１は本実施形態に係わるキャディバッグを示す。
【００４２】
本実施形態のキャディバッグ１は、ゴルフクラブが収納されるメインバッグ２と、このメインバッグ２の側部に着脱可能に装着され、前記ゴルフクラブの数本を収納可能なサブバック３とを備え、このサブバッグ３には、このサブバッグ３の側面に沿った収納位置と、このサブバッグ３に対し所定角度で引き出された使用位置との２位置間で揺動可能となされたスタンド４が設けられ、前記メインバッグ３には、上方へ開口され、この開口５ａから前記サブバッグ３が抜き差しされるサブバッグ収納部５が設けられ、このサブバッグ収納部５に前記サブバッグ３を収納した状態において、前記スタンド４が、前記メインバッグ２の側面よりも外側に位置させられるようになされた構成となっている。
【００４３】
前記サブバッグ収納部５は、前記メインバッグ２の側部にその長さ方向に沿って形成された収納凹部Ａと、この収納凹部Ａの両側縁からこの収納凹部Ａの内側へ向けて延設された鍔部Ｂとによって構成され、これらの鍔部Ｂ間に所定の隙間Ｇが形成されている。メインバッグ２の底部材２ａは、サブバック収納部５の底部分も兼ねる一体物として構成され、メインバッグ２の底部分の強度を高めている。
【００４４】
前記サブバッグ３には、前記スタンド４との間に、前記スタンド４を使用位置に揺動させる押し出し機構６が設けられており、この押し出し機構６が、前記サブバッグ３を前記サブバッグ収納部５に収納した際に、前記鍔部Ｂ間の隙間Ｇに位置させられるようになっている。
【００４５】
前記スタンド４は、上端部が前記サブバッグ３の上端部に揺動可能に連結された一対の支持ロッド７によって構成され、前記押し出し機構６によって外側に所定角度揺動させられるようになっている。
【００４６】
前記メインバッグ２の上方開口部には、図３および図４に示すように、収納される複数のクラブを数本毎に振り分ける仕切り８が設けられている。
【００４７】
前記サブバッグ３の上部には持ち運び用の取っ手９が設けられ、この取っ手９が逆Ｕ字状に形成されており、前記サブバッグ３を前記サブバッグ収納部５に収納した際に、図４に示すように、前記仕切り８へ係合させられるようになっている。
【００４８】
さらに、前記メインバッグ２の上部側面には、前記サブバッグ収納部５に収納された前記サブバッグ３の表面に沿って取り回される固定バンド１０が設けられている。
【００４９】
前記固定バンド１０は、本実施形態においては、その両端を前記メインバッグ２の側面に、面ファスナーによって着脱可能に装着されている。
【００５０】
このように構成された本実施形態のキャディバッグ１は、前記メインバッグ２のサブバッグ収納部５内に、その開口５ａから前記サブバッグ２を挿入することにより構成される。
【００５１】
前記サブバッグ収納部５内に前記サブバッグ３が挿入されると、前記サブバッグ３の約下半分が、前記サブバッグ収容部５４の両鍔部Ｂによって取り囲まれるとともに、これらの両鍔部Ａへ面接触させられる。
【００５２】
また、前記サブバッグ３の前記取っ手９が、前記メインバッグ２の開口部にある仕切り８へ係合させられる。
【００５３】
さらに、前記サブバッグ３に設けられている前記スタンド４が前記メインバッグ２の側面よりも外方に位置され、このスタンド４の内側にある前記押し出し機構６が、前記サブバッグ収納部５の両鍔部Ｂ間の隙間Ｇに位置させられる。
【００５４】
この状態で、前記固定バンド１０を、前記サブバッグ３の上部側面に当てた状態で、この固定バンド１０を前記メインバッグ２に止着する。
【００５５】
このように前記メインバッグ２に前記サブバッグ３を装着すると、前記サブバッグ３の下部側面に前記鍔部Ｂが対峙され、かつ、前記取っ手９と前記仕切り８とが係合させられ、さらに、前記固定バンド１０が前記サブバッグ３の上部を前記メインバッグ２に押しつけていることにより、側面前記サブバッグ３の、キャディバッグ１の径方向への離脱が防止される。
【００５６】
さらに、前記固定バンド１０の作用により、前記サブバッグ３のその長さ方向の動きが拘束される。
【００５７】
したがって、それらの相乗作用により、前記サブバッグ３の不要な動きが拘束されるとともに、このサブバッグ３が前記メインバッグ２から離脱してしまうことが防止される。
【００５８】
そして、前記メインバッグ２に前記サブバッグ３を装着した状態で、前記押し出し機構６の下端部を地面に当接させるとともに、前記キャディバッグ１を傾斜させると、前記スタンド４の一対の支持ロッド７が前記キャディバッグ１より突出するように揺動させられる。
【００５９】
ついで、この突出した両支持ロッド７を地面に当接させると、前記キャディバッグ１が、図５に示すように、傾斜した状態で自立させられる。
【００６０】
この状態で、収納されているクラブの抜き差しを行なうことにより、その抜き差し操作を簡便に行なうことができる。
【００６１】
また、数本のクラブを選択して用いる場合には、前記サブバッグ３を前記メインバッグ２から取り外し、このサブバッグ３に必要本数のクラブを収納する。
【００６２】
これによって、選択された数本のクラブを前記サブバッグ３とともに持ち運ぶことができるとともに、前記押し出し機構６によって前記支持ロッド７を押し出すことにより、前記サブバッグ３を、図１０に示すように、傾斜した状態で自立させることができる。
【００６３】
そして、前記サブバッグ３の取り外しは、前記固定バンド１０による前記サブバッグ３の拘束を解いた後に、このサブバッグ３を前記サブバッグ収納部５から上方へ引き抜くことによって容易に行なうことができる。
【００６４】
ここで、前述した前記サブバッグ３の前記サブバッグ収納部５からの取り外しに際して、前記サブバッグ３の移動を、前記鍔部Ｂの長さ分行なえばいいことから、迅速かつ簡便な取り外しが可能である。
【００６５】
なお、前記実施形態において示した各構成部材の諸形状や寸法等は一例であって、設計要求等に基づき種々変更可能である。
【００６６】
たとえば、図１１および図１２に示すように、前記固定バンド１０の基部と、この固定バンド１０の自由端部が止着される前記メインバッグ２の側面に、前記収納凹部Ａの上部開口の上方に突出するフック部材１１を設けておくこともできる。
【００６７】
これらのフック部材１１は、図１２に示すように、前記メインバッグ２の前記収納凹部Ａに前記サブバッグ３を収納した状態において、このサブバッグ３の上面に係合させられる。
これによって、前記サブバッグ３の前記メインバッグ２の上方へのずれを防止することができる。
【００６８】
このような前記サブバッグが前記メインバッグ２に対してずらされるような動きは、前記キャディバッグ１を図５に示すように自立させる際に同様に生じる。
【００６９】
すなわち、前記キャディバッグ１を自立させるために前記スタンド４を押し出す際に、前記押し出し機構６を地面に押しつけて押し上げる操作が必要であり、この操作に伴って、前記サブバッグ３に前記メインバッグ２に対してその上方へずらすような力が加わる。
【００７０】
ここで、前記フック部材１１を前記サブバッグ３の上面に係合させておくことにより、前述した前記サブバッグ３のずれを防止することができる。
この結果、前記押し出し機構６による前記スタンド４の押し出しを確実に行なわせることができる。
【符号の説明】
【００７１】
１  キャディバッグ
２  メインバッグ
３  サブバッグ
４  スタンド
５  サブバッグ収納部
５ａ  開口
６  押し出し機構
７  支持ロッド
８  仕切り
９  取っ手
１０  固定バンド
１１  フック部材
Ａ  収納凹部
Ｂ  鍔部
Ｇ  隙間
【図１】
0003211292.tif 000003
【図２】
0003211292.tif 000004
【図３】
0003211292.tif 000005
【図４】
0003211292.tif 000006
【図５】
0003211292.tif 000007
【図６】
0003211292.tif 000008
【図７】
0003211292.tif 000009
【図８】
0003211292.tif 000010
【図９】
0003211292.tif 000011
【図１０】
0003211292.tif 000012
【図１１】
0003211292.tif 000013
【図１２】
0003211292.tif 000014
【手続補正書】
【提出日】平成29年4月20日(2017.4.20)
【手続補正１】
【補正対象書類名】実用新案登録請求の範囲
【補正対象項目名】請求項１
【補正方法】変更
【補正の内容】
【請求項１】
ゴルフクラブが収納されるメインバッグと、このメインバッグの側部に着脱可能に装着され、前記ゴルフクラブの数本を収納可能なサブバッグとを備えたキャディバッグであって、前記サブバッグには、このサブバッグの側面に沿った収納位置と、このサブバッグに対し所定角度で引き出された使用位置との２位置間で揺動可能となされたスタンドが設けられ、前記メインバッグには、上方へ開口され、この開口から前記サブバッグが抜き差しされるサブバッグ収納部が設けられ、このサブバッグ収納部に前記サブバッグを収納した状態において、前記スタンドが、前記メインバッグの側面よりも外側に位置させられるようになされていることを特徴とするキャディバッグ。
【手続補正２】
【補正対象書類名】実用新案登録請求の範囲
【補正対象項目名】請求項３
【補正方法】変更
【補正の内容】
【請求項３】
前記サブバッグには、前記スタンドとの間に、前記スタンドを使用位置に揺動させる押し出し機構が設けられており、この押し出し機構が、前記サブバッグを前記サブバッグ収納部に収納した際に、前記鍔部間の隙間を介して外部へ突出するようになされていることを特徴とする請求項２に記載のキャディバッグ。